(57)【特許請求の範囲】
【請求項１】
パチンコ玉を受け入れない起立状態とパチンコ玉を受け入れることができる傾斜状態とに変化可能な一対の開閉部材を取付基板の前面に軸支したパチンコ機の入賞装置において、
前記一対の開閉部材の起立時の間隔のほぼ中間位置の前記取付基板に、誘導突起を突設し、
該誘導突起は、その突設高さがパチンコ玉の半径よりも小さく且つその直径が当該誘導突起の左右側方先端部に当接した左右２個のパチンコ玉の間に隙間が生じるように円筒形状に形成され、
前記一対の開閉部材が閉じる際に、２個のパチンコ玉が当該一対の開閉部材と前記誘導突起との間に挟持されたときに当該一対の開閉部材の閉じる力によって一方のパチンコ玉が他方のパチンコ玉から逃げるように前方に向かって移動し得るように当該誘導突起の先端に当接して２個のパチンコ玉が平面視で段差状となるように誘導することを特徴とするパチンコ機の入賞装置。
【発明の詳細な説明】
【０００１】
【発明の属する技術分野】
本発明は、パチンコ玉を受け入れない起立状態とパチンコ玉を受け入れることができる傾斜状態とに変化可能な一対の開閉部材を取付基板の前面に軸支したパチンコ機の入賞装置に関するものである。
【０００２】
【従来の技術】
従来より、パチンコ遊技機の遊技盤面に設けられる入賞装置であって、一対の開閉部材を取付基板の前面に軸支した入賞装置においては、遊技中に入賞装置に２個のパチンコ玉が同時に入賞して開閉部材が傾斜状態から起立状態に戻る際に、図１０に示すように、２個のパチンコ玉が一対の開閉部材４０ａ，４０ｂに挟持されて玉詰まりを起こしてしまうことがあった。これは、図１１に示すように、２つのパチンコ玉が水平線上に並び、一対の開閉部材４０ａ，４０ｂからの挟持力がこの水平線上に働いて釣り合うため、２個のパチンコ玉が静止してしまい、入賞装置５内で玉詰まりを起こしてしまうというものであった。このように、入賞装置５内で玉詰まりが起こった場合、詰まったパチンコ玉が入賞するためには、後続のパチンコ玉の衝突により偶然に入賞装置５内に押し出されるか、あるいは遊技客が遊技場の従業員を呼び、従業員が遊技機１前面のガラス扉を開放して玉詰まりの処理を行っていた。
【０００３】
【発明が解決しようとする課題】
ところが、入賞装置内で玉詰まりを起こしたパチンコ玉に後続のパチンコ玉が衝突した場合でも、必ずしも玉詰まりが解消するものではなく、後続のパチンコ玉が堆積することがあり、却って玉詰まりのパチンコ玉を増やしてしまうという欠点があった。また、従業員が玉詰まりの処理をする場合、遊技客は処理が終了するまで遊技を中断しなくてはならないため、興趣をそがれてしまうという欠点があった。本発明は、上記した事情に鑑みなされたもので、その目的とするところは、２個のパチンコ玉が入賞し、一対の開閉部材に挟持された場合でも玉詰まりを起こすことのないパチンコ遊技機の入賞装置を提供することにある。
【０００４】
【課題を解決するための手段】
上記した目的を達成するために本発明が採用した具体的な解決手段を図面を参照して説明する。請求項１の発明においては、図５、図６、及び図８に示されるように、パチンコ玉を受け入れない起立状態とパチンコ玉を受け入れることができる傾斜状態とに変化可能な一対の開閉部材４０ａ，４０ｂを取付基板２０の前面に軸支したパチンコ機１の入賞装置５において、前記一対の開閉部材４０ａ，４０ｂの起立時の間隔のほぼ中間位置の前記取付基板２０に、誘導突起２１を突設し、該誘導突起２１は、その突設高さｈがパチンコ玉の半径Ｒよりも小さく且つその直径ｄが当該誘導突起２１の左右側方先端部に当接した左右２個のパチンコ玉の間に隙間Ａが生じるように円筒形状に形成され、前記一対の開閉部材４０ａ，４０ｂが閉じる際に、２個のパチンコ玉が当該一対の開閉部材４０ａ，４０ｂと前記誘導突起２１との間に挟持されたときに当該一対の開閉部材４０ａ，４０ｂの閉じる力によって一方のパチンコ玉が他方のパチンコ玉から逃げるように前方に向かって移動し得るように当該誘導突起２１の先端に当接して２個のパチンコ玉が平面視で段差状となるように誘導することを特徴とするものである。このように構成することにより、２個のパチンコ玉が受ける一対の開閉部材４０ａ，４０ｂからの挟持力が水平線上に働くことがなく、一方のパチンコ玉が他方のパチンコ玉から逃げるように前方に向かって移動して平面視で段差状となるため、２個のパチンコ玉に作用する挟持力が水平線上で釣り合うことがなく、これによって２個のパチンコ玉が静止することがなく、入賞装置５内で２個のパチンコ玉が玉詰まりになることはない。
【０００５】
また、誘導突起２１の突設高さｈをパチンコ玉の半径Ｒよりも小さく構成することにより、入賞装置５にパチンコ玉が入賞する際に、パチンコ玉が取付基板２０の表面に当接しながら入賞し、その後、開閉部材４０ａ，４０ｂが起立状態に移行した場合でも、開閉部材４０ａ，４０ｂと誘導突起２１との間にパチンコ玉が挟持されることなく、パチンコ玉が前方に向かって移動することができる。更に、誘導突起２１の直径ｄを、当該誘導突起２１の左右側方先端部に当接した左右２個のパチンコ玉の間に隙間Ａが生じるように設定することにより、前記一対の開閉部材４０ａ，４０ｂと誘導突起２１の先端とに当接した２個のパチンコ玉が水平線上で当接することがなく、一方のパチンコ玉が他方のパチンコ玉から逃げるように前方に向かって移動し得るように誘導突起２１に当接して２個のパチンコ玉が平面視で段差状となるため、２個のパチンコ玉に作用する挟持力が水平線上で釣り合うことがない。
【０００６】
【発明の実施の形態】
以下、図面を参照して、本発明の実施形態について説明する。まず、図１を参照して、パチンコ遊技機１の概要について説明する。図１は、実施形態に係る入賞装置５を装着したパチンコ遊技機１の正面図である。
【０００７】
図１に示すように、パチンコ遊技機１の遊技盤２のほぼ中央部に変動表示装置３が配置され、その変動表示装置３の中央部には、図柄表示器４が設けられ、変動表示装置３の両側方には、通過口６が設けられている。また、変動表示装置３の下方には、本実施形態の要部を構成する入賞装置５が配置され、この入賞装置５の両側方には、前記変動表示装置３の変動を許容する始動口９が配置されている。更に、入賞装置５の下方には、変動入賞装置７が配置されており、この変動入賞装置７の下部ほぼ中央に変動表示装置８が設けられている。なお、入賞装置５は、始動口９と同じ始動機能を有している。
【０００８】
また、遊技盤２の下方には、払い出された賞品球を貯留する上皿１０が設置され、上皿１０の下方には、上皿１０では貯留しきれない賞品球が払い出される下皿１１が設置されている。また、下皿１１の右側方には、パチンコ玉を発射させるためのハンドル１２が設置されている。
【０００９】
遊技中、遊技者がハンドル１２により発射したパチンコ玉が、通過口６に内蔵された検出スイッチ（図示しない）を通過すると変動表示装置８が起動して変動表示動作が実行される。変動表示装置８には様々な図柄が表示されるものであるが、例えば、７セグメントのＬＥＤにより０〜９までの数字を表示するものである。変動入賞装置８が起動した後、所定の時間が経過すると変動表示装置８が停止し、ある特定の図柄（例えば、７）が表示されると、始動機能を有する入賞装置５（以下、始動入賞装置５という）がパチンコ玉を受け入れることができる状態となる。この状態で始動入賞装置５にパチンコ玉が入賞し、そのパチンコ玉が遊技盤２の裏面に取り付けられる図示しない検出スイッチによって検出されると、図柄表示器４が起動して変動表示動作が実行される。図柄表示器４には様々な図柄が表示されるものであるが、例えば、３個の７セグメントのＬＥＤにより０〜９までの数字の組合せを表示するものである。図柄表示器４が起動した後、所定の時間が経過すると図柄表示器４が停止し、ある特定の図柄（例えば、同一図柄のゾロ目）が表示されると、大当たり状態となる。大当たり状態になると、変動入賞球装置７が開放し、変動入賞球装置７がパチンコ玉を受け入れることができる状態になる。変動入賞球装置７は、所定時間（例えば、３０秒）が経過するか、その所定時間内に所定個数（例えば、１０個）の入賞玉が発生するまで開放し、そのような開放状態を変動入賞球装置７の内部に設けられるＶ入賞口（図示しない）に入賞することを条件として、所定回数（例えば、１６回）繰り返すことができるようになっている。
【００１０】
以上、パチンコ遊技機１の概要について説明したが、次に、本実施形態の要部を構成する始動入賞装置５について、図２乃至図９を参照して説明する。図２は、始動入賞装置５の分解斜視図であり、図３は、パチンコ玉を受け入れない状態（以下、起立状態という）における始動入賞装置５の側方から見た断面図であり、図４は、パチンコ玉を受け入れることができる状態（以下、傾斜状態という）における始動入賞装置５を側面から見た断面図であり、図５は、傾斜状態における始動入賞装置５の正面図であり、図６は、始動入賞装置５内に同時に２個のパチンコ玉が入賞し、開閉部材４０ａ，４０ｂによって２個のパチンコ玉が挟持された状態を示す始動入賞装置５の正面図であり、図７は、始動入賞装置５内に同時に２個のパチンコ玉が入賞し、開閉部材４０ａ，４０ｂによって２個のパチンコ玉が挟持されたときにその挟持力によって一方のパチンコ玉が前方に向かって移動する状態を示す始動入賞装置５の上方から見た平面図であり、図８及び図９は、取付基板２０に突設された誘導突起２１の形状を示す始動入賞装置５の上方から見た平面図である。
【００１１】
図２において、始動入賞装置５は、パチンコ遊技機１の遊技盤２の表面に取り付けられる取付基板２０と、取付基板２０に取り付けられ起立状態と傾斜状態とに変化可能な一対の開閉部材４０ａ，４０ｂと、傾斜状態で受け入れたパチンコ玉を取付基板２０の後方に向けて誘導する誘導部５２を有する前面飾り５０と前記開閉部材４０ａ，４０ｂを開閉させるための回転レバー６６と、前後作動することにより前記回転レバー６６を回転させるソレノイド６０と、から構成されている。以下、始動入賞装置５を構成する上記した各構成について詳細に説明する。
【００１２】
取付基板２０の前面上部には、パチンコ玉を受け入れることができる普通入賞口としての入賞口２２が形成されており、この入賞口２２には、受け入れたパチンコ玉を後方へ誘導するための後方誘導樋２３が形成されている。この入賞口２２の下方には、誘導突起２１が突設されている。この誘導突起２１は、一対の開閉部材４０ａ，４０ｂによって２個のパチンコ玉が挟持されたときにその挟持力によって一方のパチンコ玉が前方に向かって移動し得るように当接して２個のパチンコ玉が平面視で段差状となるように誘導するものである。
【００１３】
前記誘導突起２１の下方には、左右にそれぞれ一箇所ずつ、開閉部材４０ａ，４０ｂの後方に突設される連結ピン４３ａ，４３ｂが挿通される連結穴２６ａ，２６ｂが貫通して穿設されている。また、この連結穴２６ａ，２６ｂの外側には、連結穴２６ａ，２６ｂにそれぞれ隣接して、前面飾り５０の後方に突設される軸支ピン５１ａ，５１ｂが挿入される止め穴２５ａ，２５ｂが貫通して穿設されている。また、連結穴２６ａ，２６ｂの下方であって、取付基板２０のほぼ中央には、入賞したパチンコ玉の取り入れ口である玉入口２８が穿設され、この玉入れ口２８の側方には、左右にそれぞれ一箇所ずつ前面飾り５０を固定するための取付穴２７ａ，２７ｂがそれぞれ貫通して穿設されている。更に、取付基板２０の最側端部には、左右にそれぞれ一箇所ずつ、取付基板２０を遊技盤２に取り付けるための取付穴２４ａ，２４ｂが穿設されている。
【００１４】
取付基板２０の裏面上部であって、前記入賞口２２に対応する位置には、前記後方誘導樋２３が表面側から連通して形成されている。この後方誘導樋２３の下方には、左右にそれぞれ一箇所ずつ、ソレノイド６０が取り付けられるソレノイド取付片３１が突設されている。このソレノイド取付片３１の下方には、左右にそれぞれ一箇所ずつ、回転レバー６６を軸支する回転レバー取付片３３が突設され、この回転レバー取付片３３には、軸ピン３４が挿入される軸穴３２が穿設されている。
【００１５】
また、前記玉入れ口２８の下部には、玉入れ口２８から取り入れられたパチンコ玉を遊技盤２の後方へ誘導する後方誘導部２９が玉入れ口２８から後方に向かって形成されている。なお、後方誘導部２９の中心には、パチンコ玉をスムーズにパチンコ遊技機１内に導入するための誘導突片３０が突設されている。
【００１６】
開閉部材４０ａ，４０ｂの下部には、開閉部材４０ａ，４０ｂの回転中心であり、前面飾り５０の軸支ピン５１ａ，５１ｂが挿通される軸支穴４２ａ，４２ｂが貫通して穿設されている。開閉部材４０ａ，４０ｂの対向する内側面は、入賞したパチンコ玉をスムーズに誘導するためのパチンコ玉誘導面４４ａ，４４ｂを形成している。また、開閉部材４０ａ，４０ｂの外側面には、装飾部４１ａ，４１ｂが形成されている。更に、開閉部材４０ａ，４０ｂの裏面側下部であって前記軸支穴４２ａ，４２ｂ近傍には、前記連結穴２６ａ，２６ｂに挿通される連結ピン４３ａ，４３ｂが突設されている。
【００１７】
前面飾り５０の裏面上部には、前面飾り５０の中心線を挟んで左右対称の位置にそれぞれ一箇所ずつ、前記取付基板２０の止め穴２５ａ，２５ｂに挿入される軸支ピン５１ａ，５１ｂが突設されている。また、前面飾り３６の裏面下部には、傾斜状態で受け入れたパチンコ玉を後方へ向けて誘導する誘導底面５２が円弧状に形成され、誘導底面５２の下部には、下部覆い部５３が形成されている。
【００１８】
回転レバー６６の中央部には、ソレノイド６０のプランジャ６３の先端部分が嵌め込まれる図示しない凹部が形成されている。また、回転レバー６６の左右には、回転レバー６６の回転中心であり、軸ピン３４が挿通される軸支穴６７がそれぞれ穿設されている。この軸支穴６７の側方にある回転レバー６６の先端部分には、前記連結ピン４３ａ，４３ｂが挿入される係合凹部６８ａ，６８ｂが形成されている。
【００１９】
ソレノイド６０には、前記回転レバー６６を回転させるためのプランジャ６３が、スプリング６５を挿通した後挿入されている。また、ソレノイド６０は、ソレノイド６０を取付基板２０に取り付けるための取付部材６１に、図示しない取付ネジで取り付けられている。
【００２０】
上記のように構成される各機構部材を組み付けるには、以下に示す手順により行う。先ず、前面飾り５０の軸支ピン５１ａ，５１ｂの後端部を開閉部材４０ａ，４０ｂの軸支穴４２ａ，４２ｂにそれぞれ挿通した後、軸支ピン５１ａ，５１ｂの先端を取付基板２０の止め穴２５ａ，２５ｂに挿入することにより、前面飾り５０を取付基板２０に装着する。開閉部材４０ａ，４０ｂ及び前面飾り５０を取付基板２０に装着した後、取付基板２０の裏面側から、図示しない取付ネジを取付穴２７ａ，２７ｂに挿通し、この取付ネジを前面飾り５０の下面覆い部５３の先端部に穿設された図示しない止着穴に螺着することにより、前面飾り５０が取付基板２０に固定される。このとき、開閉部材４０ａ，４０ｂの連結ピン４３ａ，４３ｂの先端部分が取付基板２０の連結穴２６ａ，２６ｂに挿通され、取付基板２０の裏面側に突出することとなる。
【００２１】
この連結穴２６ａ，２６ｂは、挿入された連結ピン４３ａ，４３ｂの可動範囲を規制するものであると同時に、開閉部材４０ａ，４０ｂの起立状態と傾斜状態とを決定するものである。すなわち、開閉部材４０ａ，４０ｂの開閉動作は、回転レバー６６の回転動作により連結ピン４３ａ，４３ｂが上下動することで行われるものであるため、連結穴２６ａ，２６ｂの円周方向の両端部に連結ピン４３ａ，４３ｂが当接し停止する位置で開閉部材４０ａ，４０ｂも停止し、起立状態と傾斜状態とが決定することとなる。
【００２２】
次に、取付基板２０裏面の左右に突設されている回転レバー取付片３３の間に回転レバー６６を挿入した後、軸穴３２と軸支穴６７に軸ピン３４を挿通させ、軸ピン３４の先端側に設けられた溝に図示しないＥリングを嵌着することにより、回転レバー６６を取付基板２０に取り付ける。このとき、回転レバー６６は、取付基板２０に対して回転自在に取り付けられると共に、回転レバー６６の係合凹部６８ａ，６８ｂと取付基板２０の裏面側に突出した前記連結ピン４３ａ，４３ｂとが係合することとなる。そして、回転レバー６６が回転中心で回転することにより係合凹部６８ａ，６８ｂが上下動するため、係合凹部６８ａ，６８ｂと係合した前記連結ピン４３ａ，４３ｂも上下動することとなり、これにより開閉部材４０ａ，４０ｂが軸支ピン５１ａ，５１ｂを中心にして開閉動作をするものである。
【００２３】
次に、取付部材６１の取付穴６２に図示しない取付ネジを挿通してソレノイド取付片３１に螺着することにより、ソレノイド６０を取付基板２０に取り付ける。このとき、プランジャ６３を回転レバー６６の中央に形成された凹部に嵌め込むと共に、プランジャ６３の先端部に形成された係合片６４が取付基板２０と回転レバー６６との間に位置するようにプランジャ６３の取付位置を定める。この係合片６４は、プランジャ６３がソレノイド６０に吸引された際に回転レバー６６に係合し、回転レバー６６を回転動作させるものである。更に、プランジャ６３に挿入されたスプリング６５が回転レバー６６とソレノイド６０との間に位置するように取付位置を定める。このスプリング６５は、ソレノイド６０への通電を遮断した場合にプランジャ６３を外側へ押し出すためのものである。
【００２４】
上記のように構成された始動入賞装置５は、取付基板２０の取付穴２４ａ，２４ｂに挿通した図示しないネジにより、遊技盤２の表面に装着される。
【００２５】
遊技盤２の表面に装着された始動入賞装置５において、ソレノイド６０を励磁しプランジャ６３を吸引させると、図４に示すように、吸引されたプランジャ６３の係合片６４によって回転レバー６６が時計方向に回転し、係合凹部６８ａ，６８ｂが上方に移動することにより連結ピン４３ａ，４３ｂが上方に持ち上げられる。連結ピン４３ａ，４３ｂが上方に持ち上げられることにより開閉部材４０ａ，４０ｂが開放し、図４，５に示すように、始動入賞装置５は傾斜状態になり、パチンコ玉を受け入れることができる。傾斜状態で始動入賞装置５に受け入れられたパチンコ玉は、誘導底面５２，後方誘導板２９上を転動してパチンコ遊技機１内に導入され、遊技盤２裏面の図示しない検出スイッチを通過することにより、図柄表示器４を起動するための信号を導出する。また、入賞口２２に入賞したパチンコ玉は、入賞口２２内の後方誘導板２３上を転動して遊技盤２の裏面に導入され、このパチンコ玉の入賞により、賞品球が払い出されることとなる。なお、本実施形態においては、始動入賞装置５において、その上部に普通入賞口として入賞口２２が一体的に形成されているものを示したが、この入賞口２２が形成されていないものであってもよい。
【００２６】
一方、傾斜状態からソレノイド６０への通電を遮断すると、ソレノイド６０の励磁が解除されるためプランジャ６３への吸引力がなくなり、スプリング６５によりプランジャ６３が外側へ押し出される。プランジャ６３が外側へ押し出されると、回転レバー６６が反時計回りに回転し、係合凹部４８ａ，４８ｂが下方に移動することにより連結ピン４３ａ，４３ｂが下方に下がる。連結ピン４３ａ，４３ｂが下方に下がることにより開閉部材４０ａ，４０ｂが閉塞し、図３に示すように、始動入賞装置５は起立状態になり、パチンコ玉を受け入れることができなくなる。
【００２７】
次に、本実施形態の要部である誘導突起２１の作用について説明する。前述のような始動入賞装置５の傾斜状態時に、始動入賞装置５に同時に２個のパチンコ玉が入賞した直後に、開閉部材４０ａ，４０ｂが起立状態に移行した場合、図６に示すように、２個のパチンコ玉が開閉部材４０ａ，４０ｂに挟持されることがある。このとき、開閉部材４０ａ，４０ｂの起立時の間隔のほぼ中間位置の取付基板２０に誘導突起２１が突設されているため、図７に示すように、開閉部材４０ａ，４０ｂが２個のパチンコ玉を挟持したときの挟持力によって一方のパチンコ玉が前方に向かって移動し得るように誘導突起２１と当接し、それによって２個のパチンコ玉が平面視で段差状となるように誘導される。このように、２個のパチンコ玉が平面視で段差状となるため、２個のパチンコ玉が受ける開閉部材４０ａ，４０ｂからの挟持力が同一水平線上に働くことがなく、２個のパチンコ玉は静止することはない。そして、一方のパチンコ玉が他方のパチンコ玉から逃げるように前方に向かって移動するため、一方のパチンコ玉が落下して始動入賞装置５内の玉入口２８に導入され、その後、他方のパチンコ玉も同様に、落下して始動入賞装置５内の玉入口２８に導入される。
【００２８】
また、この誘導突起２１は、円筒形状に形成されると共に、図８に示すように、その突設高さｈは、パチンコ玉の半径Ｒよりも小さく設定されている。これは、入賞装置５にパチンコ玉が入賞する際に、パチンコ玉が取付基板２０の表面に当接しながら入賞した場合、仮に誘導突起２１の突設高さがパチンコ玉の半径Ｒ以上に設定されていると、開閉部材４０ａ，４０ｂが起立状態に移行したとき、開閉部材４０ａ，４０ｂと誘導突起２１との間にパチンコ玉が挟持されてしまい、パチンコ玉が前方に向かって移動することができなくなるためである。
【００２９】
更に、誘導突起２１の直径は、図８に示すように、２個のパチンコ玉が誘導突起２１の左右側方先端部に当接した場合に、少なくとも２個のパチンコ玉の間に隙間Ａが生じる寸法でなくてはならない。これは、仮に誘導突起２１の直径ｄが、２個のパチンコ玉の間に隙間がなく当接するような寸法である場合、２個のパチンコ玉が開閉部材４０ａ，４０ｂからの挟持力が同一水平線上に働いて釣り合い、２個のパチンコ玉が静止してしまうためである。
【００３０】
なお、誘導突起２１の直径は、入賞装置５の形状，寸法等の条件あるいはその他の条件により、図９に示すように、２個のパチンコ玉の間の隙間が微小寸法Ａ´となるようなｄ´になる場合もある。このような場合でも、開閉部材４０ａ，４０ｂが２個のパチンコ玉を挟持したときの挟持力によって一方のパチンコ玉が前方に向かって移動し得るように誘導突起２１と当接し、それによって２個のパチンコ玉が平面視で段差状となるように誘導されるため、２個のパチンコ玉が受ける開閉部材４０ａ，４０ｂからの挟持力が同一水平線上に働くことがなく、２個のパチンコ玉は静止することがない、という前述と同様の効果を得ることができる。
【００３１】
以上、実施形態に係る始動入賞装置５の構造及び作用について説明してきたが、本実施形態においては、図１及び図５に示すように、パチンコ玉を受け入れない起立状態とパチンコ玉を受け入れることができる傾斜状態とに変化可能な一対の開閉部材４０ａ，４０ｂを取付基板２０の前面に軸支したパチンコ機１の入賞装置５において、前記一対の開閉部材４０ａ，４０ｂの起立時の間隔のほぼ中間位置の前記取付基板２０に、誘導突起２１を突設し、該誘導突起２１は、その突設高さｈがパチンコ玉の半径Ｒよりも小さく且つその直径ｄが当該誘導突起２１の左右側方先端部に当接した左右２個のパチンコ玉の間に隙間Ａが生じるように円筒形状に形成され、前記一対の開閉部材４０ａ，４０ｂが閉じる際に、２個のパチンコ玉が当該一対の開閉部材４０ａ，４０ｂと前記誘導突起２１との間に挟持されたときに当該一対の開閉部材４０ａ，４０ｂの閉じる力によって一方のパチンコ玉が他方のパチンコ玉から逃げるように前方に向かって移動し得るように当該誘導突起２１の先端に当接して２個のパチンコ玉が平面視で段差状となるように誘導することにより、２個のパチンコ玉が受ける一対の開閉部材４０ａ，４０ｂからの挟持力が水平線上に働くことがなく、一方のパチンコ玉が他方のパチンコ玉から逃げるように前方に向かって移動して平面視で段差状となるため、２個のパチンコ玉に作用する挟持力が水平線上で釣り合うことがなく、これによって２個のパチンコ玉が静止することがなく、入賞装置５内で２個のパチンコ玉が玉詰まりになることはない。
【００３２】
また、本実施形態のように、誘導突起２１は、その突設高さｈがパチンコ玉の半径Ｒよりも小さく且つその直径ｄが当該誘導突起２１の左右側方先端部の左右に当接した状態で２個のパチンコ玉の間に隙間Ａが生じるように円筒形状に形成されているものである。このように誘導突起２１の突設高さｈをパチンコ玉の半径Ｒよりも小さく構成することにより、入賞装置５にパチンコ玉が入賞する際に、パチンコ玉が取付基板２０の表面に当接しながら入賞し、その後、開閉部材４０ａ，４０ｂが起立状態に移行した場合でも、開閉部材４０ａ，４０ｂと誘導突起２１との間にパチンコ玉が挟持されることなく、パチンコ玉が前方に向かって移動することができる。更に、誘導突起２１の直径ｄを当該誘導突起２１の左右側方先端部に当接した２個のパチンコ玉の間に隙間Ａが生じるように設定することにより、前記一対の開閉部材４０ａ，４０ｂに挟持され誘導突起２１の先端に当接した２個のパチンコ玉が水平線上で当接することがなく、一方のパチンコ玉が前方に向かって移動し得るように誘導突起２１に当接して２個のパチンコ玉が平面視で段差状となるため、２個のパチンコ玉に作用する挟持力が水平線上で釣り合うことがない。
【００３３】
なお、上記した実施形態においては、入賞装置５を変動表示装置３に対する始動機能を有する始動入賞装置５として説明したが、必ずしも始動機能を有するものとして使用する必要はなく、他の特別役物を起動するための入賞装置として使用しても良いし、その配置位置も、遊技盤２のいずれの位置でもよい。
【００３４】
【発明の効果】
以上、説明したところから明らかなように、請求項１の発明においては、パチンコ玉を受け入れない起立状態とパチンコ玉を受け入れることができる傾斜状態とに変化可能な一対の開閉部材を取付基板の前面に軸支したパチンコ機の入賞装置において、前記一対の開閉部材の起立時の間隔のほぼ中間位置の前記取付基板に、誘導突起を突設し、該誘導突起は、その突設高さがパチンコ玉の半径よりも小さく且つその直径が当該誘導突起の左右側方先端部に当接した左右２個のパチンコ玉の間に隙間が生じるように円筒形状に形成され、前記一対の開閉部材が閉じる際に、２個のパチンコ玉が当該一対の開閉部材と前記誘導突起との間に挟持されたときに当該一対の開閉部材の閉じる力によって一方のパチンコ玉が他方のパチンコ玉から逃げるように前方に向かって移動し得るように当該誘導突起の先端に当接して２個のパチンコ玉が平面視で段差状となるように誘導することにより、２個のパチンコ玉が受ける一対の開閉部材からの挟持力が水平線上に働くことがなく、一方のパチンコ玉が他方のパチンコ玉から逃げるように前方に向かって移動して平面視で段差状となるため、２個のパチンコ玉に作用する挟持力が水平線上で釣り合うことがなく、これによって２個のパチンコ玉が静止することがなく、入賞装置内で２個のパチンコ玉が玉詰まりになることはない。
【００３５】
また、誘導突起の突設高さをパチンコ玉の半径よりも小さく構成することにより、入賞装置にパチンコ玉が入賞する際に、パチンコ玉が取付基板の表面に当接しながら入賞し、その後、開閉部材が起立状態に移行した場合でも、開閉部材と誘導突起との間にパチンコ玉が挟持されることなく、パチンコ玉が前方に向かって移動することができる。更に、誘導突起の直径を、当該誘導突起の左右側方先端部に当接した２個のパチンコ玉の間に隙間が生じるように設定することにより、誘導突起の先端に当接した２個のパチンコ玉が水平線上で当接することがなく、一方のパチンコ玉が他方のパチンコ玉から逃げるように前方に向かって移動し得るように誘導突起に当接して２個のパチンコ玉が平面視で段差状となるため、２個のパチンコ玉に作用する挟持力が水平線上で釣り合うことがない。
【図面の簡単な説明】
【図１】  実施形態に係る入賞装置を装着したパチンコ遊技機の正面図である。
【図２】  始動入賞装置の分解斜視図である。
【図３】  パチンコ玉を受け入れない状態における始動入賞装置の側方から見た断面図である。
【図４】  パチンコ玉を受け入れることができる状態における始動入賞装置を側面から見た断面図である。
【図５】  傾斜状態における始動入賞装置の正面図である。
【図６】  始動入賞装置内に同時に２個のパチンコ玉が入賞し、開閉部材によって２個のパチンコ玉が挟持された状態を示す始動入賞装置の正面図である。
【図７】  始動入賞装置内に同時に２個のパチンコ玉が入賞し、開閉部材によって２個のパチンコ玉が挟持されたときにその挟持力によって一方のパチンコ玉が前方に向かって移動する状態を示す始動入賞装置の上方から見た平面図である。
【図８】  取付基板に突設された誘導突起の形状を示す始動入賞装置の上方から見た平面図である。
【図９】  取付基板に突設された誘導突起の形状を示す始動入賞装置の上方から見た平面図である。
【図１０】  従来の始動入賞装置内に２個のパチンコ玉が入賞し、開閉部材によって２個のパチンコ玉が挟持された状態を示す始動入賞装置の正面図である。
【図１１】  従来の始動入賞装置内に２個のパチンコ玉が入賞し、開閉部材によって２個のパチンコ玉が挟持された状態を示す始動入賞装置の上方から見た断面図である。
【符号の説明】
１  パチンコ遊技機
２  遊技盤
３  変動表示装置（特別役物）
５  始動入賞装置（入賞装置）
２０  取付基板
２１  誘導突起
２８  玉入口
４０ａ，４０ｂ  開閉部材
４４ａ，４４ｂ  パチンコ玉誘導面
６０  ソレノイド
【図１】
0004380831.tif 000002
【図２】
0004380831.tif 000003
【図３】
0004380831.tif 000004
【図４】
0004380831.tif 000005
【図５】
0004380831.tif 000006
【図６】
0004380831.tif 000007
【図７】
0004380831.tif 000008
【図８】
0004380831.tif 000009
【図９】
0004380831.tif 000010
【図１０】
0004380831.tif 000011
【図１１】
0004380831.tif 000012